(57)【要約】本発明は流通中に蓋の覆いが開いても容器内の内容物が流れ出ないと共にひとたび開放したのち、容器が倒れても容器内の内容物が排出管の排出孔を通じて排出されないようにすることを目的としている。本発明の蓋は、本体の上面部に突出された排出管固定部が設けられ、前記排出管固定部に回転可能な排出管が組み立てられている。
2004533372.tif 000002
【特許請求の範囲】
【請求項１】
容器に結合される本体；および
前記本体に突出形成された排出管固定部に回転方式に結合されて、密閉と排出手段の役割をする排出管を有する
ことを特徴とする加圧方式液体排出用蓋の排出管およびその構造。
【請求項２】
前記本体に連結部によって一体に連結された密閉用覆いを形成されてなることを特徴とする請求項１記載の加圧方式液体排出用蓋の排出管およびその構造。
【請求項３】
前記排出管固定部が、その上方に排出孔が形成され、その下方には排出管固定突起が形成されてなることを特徴とする請求項１記載の加圧方式液体排出用蓋の排出管およびその構造。
【請求項４】
前記排出管固定部の任意の両側方には、内部に固定溝を有する排出管固定突起固定溝部が形成されてなることを特徴とする請求項３記載の加圧方式液体排出用蓋の排出管およびその構造。
【請求項５】
前記排出孔が、覆いを連結させる連結部の反対方向になるように構成されてなることを特徴とする請求項３記載の加圧方式液体排出用蓋の排出管およびその構造。
【請求項６】
前記排出管が、内部に排出管固定部挿入溝が設けられ、該排出管固定部挿入溝が、一方の側に寝かす形態の管部の内部に設けられた排出孔と連結され、前記排出管固定部挿入溝の一定の高さの内壁に、排出管固定突起挿入溝が形成されてなることを特徴とする請求項１記載の加圧方式液体排出用蓋の排出管およびその構造。
【請求項７】
前記排出管の下方の外段部に、排出管固定突起固定溝部の内側の固定溝に弾力的に固定される固定突起が形成されてなることを特徴とする請求項６記載の加圧方式液体排出用蓋の排出管およびその構造。
【請求項８】
前記排出管の管部の下段部に、部分的に巻着された形態の漏れ防止部が形成されてなることを特徴とする請求項１記載の加圧方式液体排出用蓋の排出管およびその構造。
【請求項９】
前記排出管の管部が排出管固定部の排出孔の反対方向になるように、排出管が排出管固定部に組み立てられてなることを特徴とする請求項６記載の加圧方式液体排出用蓋の排出管およびその構造。
【請求項１０】
前記覆いの案内部の方向には、排出孔密閉突起が形成され、前記排出孔密閉突起が、排出管の排出孔の方向と排出管固定部の排出孔の方向とが一致されるようにしたとき、排出管の排出孔の端部が密閉されるように位置づけられてなることを特徴とする請求項２記載の加圧方式液体排出用蓋の排出管およびその構造。
【請求項１１】
記排出管が、排出管固定部上で回転できることを特徴とする請求項１記載の加圧方式液体排出用蓋の排出管およびその構造。
【請求項１２】
前記排出管が、固定突起によって回転される位置が制御されるように、排出管固定突起固定溝部が固定突起と対応する位置に構成されてなることを特徴とする請求項１１記載の加圧方式液体排出用蓋の排出管およびその構造。
【請求項１３】
容器に結合された本体；および
前記本体に突出形成された排出管固定部に組み立てられ、上下に作動されることにより密閉と排出手段の役割をする排出管を有する
ことを特徴とする加圧方式液体排出用蓋の排出管およびその構造。
【請求項１４】
前記排出管固定部が、内部の中心に排出孔を有し、その外環に第１および第２環輪が設けられてなることを特徴とする請求項１３記載の加圧方式液体排出用蓋の排出管およびその構造。
【請求項１５】
前記排出管固定部に組み立てられた排出管が排出管固定部に差し込まれ得る排出管固定挿入溝を備え、該排出管固定部挿入溝が一方の側に寝かす形態の管部の内部に設けられた排出孔と連結されており、前記排出管固定部挿入溝の下方の内壁に環突起が形成され、かつ前記環突起が設けられた排出管固定部挿入溝の上方の底面に排出管固定部の排出孔を塞ぎ得る密閉部が形成されてなることを特徴とする請求項１４記載の加圧方式液体排出用蓋の排出管およびその構造。
【請求項１６】
前記排出管が回転されないようにするために、前記排出管と、これに対応する排出管固定部との間にキーが形成されてなることを特徴とする請求項１３記載の加圧方式液体排出用蓋の排出管およびその構造。
【請求項１７】
前記排出管が回転されないようにするために、上下作動形の排出管の排出管固定部挿入溝と、これに対応する排出管固定部とが楕円形に形成されてなることを特徴とする請求項１３記載の加圧方式液体排出用蓋の排出管およびその構造。
【請求項１８】
前記本体に連結部によって一体に連結された密閉用覆いが形成されてなることを特徴とする請求項１３記載の加圧方式液体排出用蓋の排出管およびその構造。
【請求項１９】
前記排出管の管部が、密閉用覆いの反対方向に向くことを特徴とする請求項１３記載の加圧方式液体排出用蓋の排出管およびその構造。
【請求項２０】
前記排出管が、これに対応する排出管固定部に緊密に組み立てられて密閉力を維持することを特徴とする請求項１３記載の加圧方式液体排出用蓋の排出管およびその構造。
【請求項２１】
前記密閉用覆いに排出孔密閉突起が形成され、前記排出孔密閉突起が、排出管を持ち上げたとき、管部の内部の排出孔の上段を塞ぐ位置にあることを特徴とする請求項１８記載の加圧方式液体排出用蓋の排出管およびその構造。
【請求項２２】
前記排出管が一定の角度だけ回転したときに排出管が上向きにされて排出孔が形成され得るように、排出管固定部挿入溝部に螺子山が形成され、これに対応する排出管固定部にも螺子山が形成されて回転方式に排出管が上向きにされ得ることを特徴とする請求項１３記載の加圧方式液体排出用蓋の排出管およびその構造。
【請求項２３】
前記排出管が一定の高さ以上に上向きにされないように、上向き防止敷居が形成されてなることを特徴とする請求項２２記載の加圧方式液体排出用蓋の排出管およびその構造。
【請求項２４】
前記排出管が、前記排出管の密閉部が深く突出され、その外周面には螺子山が形成され、これに対応する排出孔の内壁部にも螺子山が形成され、前記密閉部の任意の間隙を置く下方部の螺子山の部位に排出溝が設けて排出管が上向きにされたとき、排出孔の役割をすることを特徴とする請求項２２記載の加圧方式液体排出用蓋の排出管およびその構造。
【請求項２５】
前記排出管の下方部に偽造防止用スカートが形成されてなることを特徴とする請求項１または請求項１３記載の加圧方式液体排出用蓋の排出管およびその構造。
【請求項２６】
容器に結合された本体；および
前記本体の上面に形成された排出管固定部に弾力的に組み立てられ、密閉されたのち、人為的に一定の角度だけ移動されて排出手段の役割をする排出管を有することを特徴とする加圧方式液体排出用蓋の排出管およびその構造。
【請求項２７】
前記排出管固定部に、排出管差込部挿入溝、支持突起挿入溝、密閉突起挿入孔および密閉突起挿入溝が形成されてなることを特徴とする請求項２６記載の加圧方式液体排出用蓋の排出管およびその構造。
【請求項２８】
前記排出管に、排出管差込部挿入溝に緊密に差し込まれて必要によって一定の角度だけ動くことができる差込部が設けられ、その差込部の内部には排出孔が形成され、前記差込部の両側に設けられた支持突起の下方には前記密閉突起挿入孔に緊密に挿入されて最初に開放されるときまでの密閉力を維持する第１密閉突起と、前記差込部の上方には前記密閉突起挿入溝に掛って固定された状態を持続的に維持させることができる第２密閉部とが設けられてなることを特徴とする請求項２６記載の加圧方式液体排出用蓋の排出管およびその構造。
【請求項２９】
前記本体に連結部によって一体に連結された密閉用覆いが形成されてなることを特徴とする請求項２６記載の加圧方式液体排出用蓋の排出管およびその構造。
【請求項３０】
前記密閉用覆いに排出孔密閉突起が形成され、当該排出孔密閉突起が、排出管の第２密閉突起が密閉突起挿入孔に位置するときに形成された排出管の排出孔の断部を塞ぐことができる位置に形成されることを特徴とする請求項２９記載の加圧方式液体排出用蓋の排出管およびその構造。
【請求項３１】
前記排出管が、最初に使用されるまでは排出管の排出孔が覆いの方向になることを特徴とする請求項２６記載の加圧方式液体排出用蓋の排出管およびその構造。
【請求項３２】
前記排出管が、最初は第１密閉突起によって密閉突起挿入孔が塞がれた形態に構成されることを特徴とする請求項２６記載の加圧方式液体排出用蓋の排出管およびその構造。
【請求項３３】
前記密閉突起挿入孔の穿孔部が、薄板を接着することにより密閉力が補強されてなることを特徴とする請求項３２記載の加圧方式液体排出用蓋の排出管およびその構造。
【請求項３４】
容器に結合された本体；
前記本体の上面部の覆い固定輪の内向に形成され、排出孔を有し、９０°の角度で下がる形態の排出管；および
前記排出管の排出孔の端部を塞ぐことができる排出孔密閉突起を有する覆い
からなる
ことを特徴とする加圧方式液体排出用蓋の排出管およびその構造。
【請求項３５】
前記排出孔密閉突起が、弾力的であることを特徴とする請求項３４記載の加圧方式液体排出用蓋の排出管およびその構造。
【請求項３６】
前記排出管の排出孔の傾きが、水平から上下７°の角度以内に構成されることを特徴とする請求項３４記載の加圧方式液体排出用蓋の排出管およびその構造。
【発明の詳細な説明】
【０００１】
［技術分野］
本発明は液体排出用蓋に関するもので、より詳しくは一方の側に一定の角度に傾いて容器の内容物の排出が容易に構成されており、入口と出口が選択的に二重開閉されることができる排出管を有する食用油および水飴などの長期保管用液体容器により適合な排出用蓋に関する。
【０００２】
［背景技術］
一般的に食用油および水飴などの長期保管用液体容器用蓋はワンタッチ方式のヒンジ蓋が主に用いられている。しかしながら、このような従来のワンタッチ方式の蓋は内容物を排出した後、その内容物の一部が蓋の本体の上面の排出段の端部に残存する問題点を有する。
【０００３】
また、前記蓋は反復して使用されると、内容物がリップ部分で還元性を失って残存するようになり、退出孔がある場合には、その内容物が容器の内部に落下するが、退出孔がなければ、内容物は容器の外部にずり落ちて外部を汚染する問題点があった。
【０００４】
そして、前記蓋の使用時、使用者が容器を握る角度に従ってその内容物の落幅が各々違って、その内容物が容器の外にずり落ちてその外部を汚染する。
【０００５】
このような問題点を解消するために、韓国実用新案出願公開第８９−６８３１号明細書は、液状の内容物を定量に排出できるようになっている液体容器用蓋を開示している。
【０００６】
この実用新案の特徴は、使用時に容器を加圧して圧縮すると別途の排出管を通じて容器内の内容物が排出され、その加圧力が止ると圧縮された容器が復元される過程で前記排出管を通じて外気が前記排出管にある内容物と共に容器の内に強力に吸引されるので、内容物の排出中に外部に全然ずり落ちないという優れた長所がある。
【０００７】
しかしながら、前記蓋の技術は使用後に容器が倒れる場合、排出管を通じて容器内の内容物が流れ出て、再使用するために蓋を開封するとき、前記蓋の上面部に溜まっている内容物が蓋の外に流れ出て周りを汚染させる短所があった。
【０００８】
そして、また他の先行技術として、米国特許第５，３３２，１３１号明細書、米国特許第８５１，８０５号明細書、米国特許第３，８７３，００５号明細書、米国特許第３，８７４，５６８号明細書、米国特許第３，８８１，６４３号明細書、米国特許第３，８８４，３９２号明細書、米国特許第４，０８１，１０８号明細書、米国特許第４，７５６，４５１号明細書、米国特許第４，７７６，４７５号明細書、米国特許第４，９０３，８７０号明細書、米国特許第５，１９０，１７６号明細書、米国特許第５，５２４，７９９号明細書、米国特許第５，８７３，４７８号明細書および本発明者の韓国特願２０００−５６３０８号がある。
【０００９】
前記従来の技術は、その蓋をワンタッチ方式に開閉することができる長所があるが、その蓋の密閉力が低下される欠点と共に使用時ごとに排出管を手で持ち上げなければならないという欠点がある。また、前記韓国特願２０００−５６３０８号の場合は、排出管を手で持ち上げる必要がないという長所があるが、開閉時ごとに排出管が一定の角度だけ動いてしまうという機械的な特性がある。
【００１０】
［発明の開示］
以上のような従来の問題点を解決するために提案された本発明は、流通中に蓋の覆いが開いても容器内の内容物が流れ出ない蓋を提供することをその目的とする。
【００１１】
また、本発明はひとたび開放したのち、容器が倒れてもその容器内の内容物が排出管の排出孔を通じて排出されないように、排出を防止することを他の目的としている。
【００１２】
本発明のその他の目的は排出管が一定角度をなすように構成され、容器を加圧して内容物を排出した後、水圧がその排出管の傾いた角度の分だけ減圧され、それにより出管に残存する内容物が容器内に容易に吸い出されるようにすることである。
【００１３】
前記目的を達成するために、本発明の蓋は、容器に結合された本体；および前記本体に突出形成された排出管固定部に回転方式に結合されて、密閉と排出手段の役割をする排出管を有することを特徴とする。
【００１４】
前記排出管固定部には上方の一部に排出孔が形成され、その下方部には排出管固定突起が形成され、前記排出管固定部の任意の両側方には排出管固定突起固定溝部が形成される。前記排出管には内部に排出管固定部挿入溝が設けられ、前記排出管固定部挿入溝は一側方に寝かす形態の管部の内部にある排出孔と連結され、前記排出管固定部挿入溝の一定の高さの内壁には固定突起が形成され、前記排出管の下方の外段部には前記排出管固定突起固定溝部の内側の固定溝に弾力的に固定される固定突起が形成されている。
【００１５】
他の態様として、本体の上面部に突向された排出管固定部が設けられ、前記排出管固定部には上方に持ち上げることができる排出管を組み立てられている。そして、前記排出管固定部は中心に排出孔が形成され、その外環（ないしは周辺）には第１と第２環輪が設けられている。また、前記排出管には、内部に排出管固定部に差し込まれ得る排出管固定挿入溝が設けられ、前記排出管固定部挿入溝は一側方に寝かす形態の管部の内部にある排出孔と連結されており、前記排出管固定部挿入溝の上方の底面には排出管固定部の排出孔を塞ぐことができる密閉部が形成されている。
【００１６】
また、他の態様として、排出管部に第１と第２密閉突起とが構成され、前記第第１と第２密閉突起の中で第１密閉突起は本体の密閉突起挿入孔に直接的に挿入されて密閉力を維持するようにされている。そして、前記排出管は設定された角度だけ動くように密閉突起挿入溝に前記第２密閉突起が掛って固定されるように構成されている。また、前記排出管の排出孔の端部を密閉させる排出孔密閉突起がこれに対応する覆いに形成される。
【００１７】
また、他の実施形態として排出管は本体と一体形として一定の角度だけ傾いており、その傾いた排出管の排出孔を塞ぐためにそれに対応する覆い部には密閉部が設けられている。また、前記排出管の端部には巻着された形態の漏れ（ないしは、漏洩）防止部が設けられて内容物の流出現象を防止する。
【００１８】
［発明を実施するための最良の形態］
以下、添付図面に基づいて本発明の望ましい実施形態を説明する。
【００１９】
実施の形態１
図１乃至図５は本発明の一つの実施形態を示す。図示された本発明の蓋は加圧される容器の首にワンタッチ方式またスクリュー方式などに組み立てられる。
【００２０】
液体排出用蓋１は、連結部２０１で連結された本体１００と覆い２００とからなり、前記本体１００の排出管固定部には排出管３００が組み立てられる。
【００２１】
前記本体１００の上面１０１には覆い固定輪１０２が設けられ、その覆い固定輪１０２の内向には排出管固定部１０３を設け、前記排出管固定部１０３は上方の一つの部位に排出孔１０４を設けると共にその下方部には排出管固定突起１０５を設ける。また、前記排出管固定部１０３の任意の両側方に内部に固定溝１０７がある排出管固定突起固定溝部１０６を設ける。
【００２２】
そして、前記本体１００の側面部１０８の上段部である排出孔１０４の反対側部には覆い２００を設け、前記覆い２００の内壁には前記覆い固定輪１０２に固定されるように敷居２０２を設け、案内部２０３がある位置部位には排出孔密閉突起２０４を設ける。
【００２３】
また、前記排出管３００は内部に排出管固定部挿入溝３０１を置いて、前記排出管固定部挿入溝３０１は一方の側に寝かす形態の管部３０２の内部にある排出孔と連結されており、前記排出管固定部挿入溝３０１の一定な高さの内壁には排出管固定突起固定溝部の内側固定溝１０７に弾力的に固定されることができる固定突起３０５を、そして前記管部３０２の端部には漏れ（ないしは、漏洩）防止部３０６を形成する。
【００２４】
以上のような本発明において、排出管固定部１０３の上方に形成された排出孔１０４は原則的に連結部２０１の反対方向に形成されるものが一番良い。
【００２５】
望ましくは、排出孔の上方は一方の側が切開されるように一部分が開かれた形態が良い。これは排出管３００が組み立てられた後、最初に開放されたときに、円滑な開閉作用と共に開放前までの密閉力を良好に維持する機能とを連関させるためである。
【００２６】
また、排出管３００が排出管固定部１０３に最初組み立てるとき、排出孔１０４が外気と遮断されるように管部３０２が連結部２０１の方向に位置されるように組み立てるのが望ましい。
【００２７】
そして、排出管３００が排出管固定部１０３に組み立てられた後、容易に流動されないようにするために固定部が装置され、このような固定装置としては一般的な常識の範囲内でとても多様な形態の固定部を形成するものである。
【００２８】
すなわち、手で管部３０２を取ってその管部３０２を連結部２０１の反対方向に回転させると固定部は弾力的に作動しながら管部３０２が連結部２０１の反対方向にさらに動かず、ひとたび静止すると、使用者は前記管部３０２をさらに作動させる必要がないとの判断ができる。
【００２９】
望ましくは、一つの実施の形態として、固定溝１０７を有している排出管固定突起固定溝部１０６を排出管固定部１０３の外下部面に形成し、これに対応する排出管３００の下方部には固定突起３０５を形成する。
【００３０】
また、排出孔３０３を通じて排出された内容物が容器の内に吸引される過程において、その端部に流れ出ないように巻かれた形態の漏れ防止部３０６を形成するのが望ましい。
【００３１】
以上のような本実施の形態の作用効果を説明するとつぎのとおりである。
【００３２】
図１は排出管３００が排出管固定部１０３に緊密に組み立てられた状態である。固定突起３０５が固定溝１０７に弾力的かつ緊密に挿入されるので、排出管３００の管部３０２は連結部２０１の方向に固定される。
【００３３】
前記状態で覆い２００を締める状態が図２である。図２のように、蓋１を容器の首に位置させた後、一連の機械装置で前記蓋１を加圧すると、蓋１の敷居１０９が容器首の外環部にある敷居を弾力的に伝わって跨いで固定されるのである。
【００３４】
以上のような状態で前記蓋１を使用しようとするときは、蓋２００を案内部２０３を通じて持ち上げると蓋２００の敷居２０２が本体１００の覆い固定輪１０２から弾力的に外れて前記覆い２００が開き、前記状態で排出管３００の管部３０２を連結部２０１の反対方向に回すと、各々の固定突起３０５が反対側の固定溝１０７に挿入され、前記排出管３００が静止する。このような状態が図３である。
【００３５】
図３のようになった排出管３００は、廃棄時までそのような状態を持続的に維持するのである。このとき、排出管３００の排出孔３０３は排出管固定部１０３の排出孔１０４と連通された状態を維持する。
【００３６】
このような図３の状態で容器を傾けた後、その容器の側面を加圧すると容器内の内容物が排出孔３０３を通じて排出されるようになる。ついで、前記図３のように排出孔３０３を通じて排出された内容物は、前記容器を加圧しないと容器の収縮復元過程で排出孔３０３にはとっさに強い吸引力が生じて、この現状のために排出孔３０３に残存されていた内容物が容器の内部にとても強く吸出されるので、前記蓋１の外部には容器の内容物が流れなくてその外部が清潔さを維持することができる。
【００３７】
また、使用した後、蓋２００を本体１００の方向に締めると排出孔密閉突起２０４が管部３０２の上段部を塞いで密閉力を維持する。前記状態を例示したのが図４である。
【００３８】
そして、前記蓋１が容器に結合される方式は、ワンタッチ方式は勿論、回転式や挿入、接着式などに締結（結合）されるように本体１００の下方部は多様に構成されることができる。
【００３９】
一方、本発明に用いられる蓋１は、本体１００が容器から分離されて再活用（ないしは、再利用）が容易にされるように本体１００の連結部の方向に截取線などを形成して、その使用時に蓋２００を引っ張るだけでも容器の首から蓋を容易に分離させることができる。
【００４０】
実施の形態２
図６乃至図７は本発明の他の実施形態を示す。本体１００の上面部１０１には覆い固定輪１０２が形成され、その内向には内部中心に排出孔１０４’がある排出管固定部１０３が形成され、その外環には第１と第２環輪１１０、１１１が設けられる。
【００４１】
また、前記排出管３００は内部に排出管固定部１０３が差し込まれる排出管固定部挿入溝３０１を設け、前記排出管固定挿入溝３０１は一方の側に寝かす形態の管部３０２の内部にある排出孔３０３と連結されており、前記排出管固定部挿入溝３０１の下方内壁には環突起３０４と、そして前記環突起３０４を有する排出管固定部挿入溝３０１の上方底面には排出管固定部１０３の排出孔１０４’とを塞ぐことができる密閉部３０７を設けている。
【００４２】
そして、前記本体１００の連結部２０１に連結された覆い２００には敷居２０２と排出孔密閉突起２０４が形成され、前記排出孔密閉突起２０４は排出管３００を持ち上げるとき、管部３０２の排出孔３０３の上段に当接する位置に形成される。
【００４３】
望ましくは、使用時に排出管３００が横の方に動かないようにするためにキー溝を形成したり、また排出管固定部１０３と排出管固定部挿入溝３０１を楕円形に形成する。
【００４４】
本発明の使用時には、図７のような状態で、覆い２００を開いて排出管３００を持ち上げると、環突起３０４が第２環輪１１１上に弾力的に伝わって上向に起されたが、一定線上にある第１環輪１１０の部位と環突起３０４とが係合してもさらに上向きに動かず静止する。
【００４５】
このときには密閉部３０７が上向されるので、排出孔１０４’が排出管３００の排出孔３０３と連通された状態になる。前記状態で容器を一側に傾いた後、容器を加圧すると排出孔３０３を通じて容器内の内容物が排出されるのである。
【００４６】
また、前記状態で覆い２００を本体１００に締めると、排出孔密閉突起２０４が排出孔３０３の上段部を塞ぐので、完壁に再密閉状態になる。このような例示が図６である。
【００４７】
望ましくは、前記排出管３００は一定角度を回転させると図６のように排出管３００が上向きに起こされて排出孔を形成できるように排出管固定部挿入溝部に螺子山を形成し、これに対応する排出管固定部にも螺子山を形成して回転方式に排出管３００が上向きに起こされ得る。
【００４８】
このときには、排出管３００が一定の高さ以上に上向きに起こされないように上向防止敷居などを形成することができる。このような技術は多様に応用されるので、具体的図示を省略する。
【００４９】
そして、排出管固定部挿入溝３０１と排出管固定部１０３に形成する螺子山は各種の方法で応用できるが、これも本発明の思想である。
【００５０】
すなわち、密閉部３０７が長く突出されてその外周辺には螺子山が形成され、これに対応される排出孔１０４’の内壁部にも螺子山を形成する。前記密閉部３０７の任意間隙を置く下方部の螺子山部位には排出溝を形成して排出管３００が上向きに起されるときに排出孔の役割をする。
【００５１】
実施の形態３
図８乃至図１１は本発明の他の実施形態を示す。
【００５２】
液体排出用蓋１は連結部２０１で連結された本体１００と覆い２００とからなり、前記本体１００の排出管固定部には排出管３００が組み立てられて密閉力を維持するように構成される。
【００５３】
前記本体１００の上面部１０１には覆い固定輪１０２が形成され、その覆い固定輪１０２の内向には排出管差込部挿入溝１１２と支持突起挿入溝１１３、そして密閉突起挿入孔１１４と密閉突起挿入溝１１５を有する排出管固定部１１６が形成される。
【００５４】
そして、前記覆い２００は本体１００の覆い固定輪１０２に掛って固定される敷居２０２が形成され、排出管固定部１０３の反対の方である敷居２０２の外部には案内部２０３が形成され、前記敷居２０２の内部案内部２０３の方向には排出孔密閉突起２０４が形成される。
【００５５】
また、前記排出管３００は前記排出管差込部挿入溝１１２に緊密に差し込まれて必要に従って一定の角度で動くことができる差込部３０８が形成され、その差込部３０８の内部には排出孔３０９が形成され、前記差込部３０８の両側にある支持突起３１０の下方には前記密閉突起挿入孔１１４に緊密に挿入されて最初開封時までの密閉力を維持する第１密閉突起３１１に掛って固定された状態を持続的に維持させる第２密閉部３１２が設けられる。
【００５６】
このような本実施の形態の作用効果を説明するとつぎのとおりである。
【００５７】
図８のような状態で排出管３００が組み立てられた後、覆い２００が締めた状態が図９である。図９のような状態では、覆い２０２が開いても容器内の内容物は外気と遮断された状態を維持する。
【００５８】
前記図９のような状態で覆い２００を開封した後、排出管３００を連結部２０１の反対方向に移動させると、第１密閉突起３１１が密閉突起挿入孔１１４を弾力的に外れると同時に第２密閉突起３１２が密閉突起挿入溝１１５に位置されて前記排出管３００は一定角度を維持する。このような状態を例示したのが図１０である。
【００５９】
このような状態で、容器を加圧すると排出孔１１４、３０９を通じて容器内の内容物が排出されるのである。
【００６０】
そして、前記図１０のような状態で覆い２００を締めると、排出孔密閉突起２０４が排出孔３０９の端部を塞ぐので、完璧に再密封状態になり、前記図１１のような状態では覆い２００だけ開くこととなる。
【００６１】
以上のような実施の形態１〜３において、本発明の蓋１が適用された容器を用いる途中に移動しようとする時には、覆い２００を開放した後、排出管３００を回すか加圧するか、または側方に移動させ、排出孔１０４、１０４’や密閉突起挿入孔１１４を密閉させ、どの外部衝撃にも完璧な密閉力を維持させ、再使用しようとするときは始めのように再び実施することとなる。
【００６２】
このような構造を有している本発明の蓋１は多様な構造の容器に適用されることができる。望ましくは、排出管３００の下方外周にスカートを形成し、これに対応する部位にもスカート掛り部を設けて偽変造を防止することもできる。また、蓋１の上部に収縮フィルムを掛けて偽変造を防止することもできる。なお、実施の形態３の場合には、図９のような状態で第１密閉突起３１１を含んでその部位に薄いフィルムを接着させると、使用者が排出管３００を持ち上げる際にその薄い薄板が破壊されるようにすることもできる。
【００６３】
実施の形態４
図１２乃至図１３は本発明のさらに他の実施形態を示す。
【００６４】
多様な容器に適用できる本体１００の上面部１０１に覆い固定輪１０２が形成され、そしてその覆い固定輪１０２の内側には排出孔３１３を有する排出管３００が形成される。前記排出管３００は９０°だけ傾いている。
【００６５】
また、前記本体１００の排出管３００に形成された排出孔３１３の後尾上の外段部には連結部２０１で連結された覆い２００が構成され、前記覆い２００の内側面の上段には敷居２０２が形成され、案内部２０３を有する方向には排出管３００の排出孔３１３の端部を塞ぐ形態の排出孔密閉突起２０４’が設けられる。
【００６６】
このような本実施の形態の作用効果を説明するとつぎのとおりである。
【００６７】
図１２の状態で覆い２００を締めると、垂直形態の排出孔密閉突起２０４’が排出孔３１３の端部を弾力的に塞ぐので、容器に圧力が加わっても覆い２００が開かれることが確実に予防される効果を有する。
【００６８】
すなわち、排出孔３１３に圧力が発生しても排出孔３１３を塞いでいる排出孔密閉突起２０４’が水平形になっているので、覆い２００が上方に持ち上げられることが相当に抑制される。
【００６９】
前記排出孔３１３が一例で７０〜８０°程度を維持していると、小さい圧力であっても覆い２００は容易に開く。しかし、排出孔３１３が水平以下に傾くのは、覆い２００が開くのをもっと予防することができるが、使用上また鋳型の製作上において非効率的であるという欠点がある。望ましくは、排出孔３１３は水平から上下に７°以上の差をつけないのが良い。
【００７０】
［産業上の利用可能性］
以上の説明のように、本発明は排出管の一次作用により開封前まで完璧な密閉力を維持しているので、前記排出管が形成された蓋は食用油、洗剤液など多様な分野に適用されることができる。特に排出管が一定角度で傾いているので、容器を少し傾いても内容物が排出される胡麻油などの容器に適合する。
【００７１】
また、本発明の排出管は、蓋を開閉することだけにも排出管の排出孔がワンタッチで開閉されるので、使用者は面倒から自由になって食用油は勿論、管理し難しい化学薬品にも安全に適用することができる。
【図面の簡単な説明】
【図１】
本発明の実施の形態１の構成を図示し、覆いが広げられた状態を示した縦断面図である。
【図２】
本発明の実施の形態１の構成を図示し、覆いが本体に組み立てられた状態を示した縦断面図である。
【図３】
本発明の実施の形態１を構成する使用状態図として、覆いが開いた後、排出管が使用上の状態に回転された形態を示す説明図である。
【図４】
本発明の実施の形態１を構成する使用状態図として、図３の状態で覆いが締めて排出管の排出孔の端部が排出孔密閉突起によって再密閉される状態を示す説明図である。
【図５】
本発明の実施の形態１を構成する排出管の組立状態を説明するための要部の分離縦断面図である。
【図６】
本発明の実施の形態の構成を図示した使用状態図である。
【図７】
本発明の実施の形態の構成を図示した最初の組立図である。
【図８】
本発明の実施の形態３の構成を図示した蓋の分離縦断面図である。
【図９】
本発明の実施の形態３を構成する蓋が組立てられた状態を示す最初の縦断面図である。
【図１０】
本発明の実施の形態３を構成する蓋の使用状態を示す縦断面図である。
【図１１】
本発明の実施の形態３を構成する蓋の再密封状態を示す縦断面図である。
【図１２】
本発明の実施の形態４の構成として、覆いが広げられた状態の縦断面図である。
【図１３】
本発明の実施の形態４の構成として、覆いが本体に組み立てられた状態を示す縦断面図である。
【国際公開パンフレット】
2004533372.tif 000003
2004533372.tif 000004
2004533372.tif 000005
2004533372.tif 000006
2004533372.tif 000007
2004533372.tif 000008
2004533372.tif 000009
2004533372.tif 000010
2004533372.tif 000011
2004533372.tif 000012
2004533372.tif 000013
2004533372.tif 000014
2004533372.tif 000015
2004533372.tif 000016
2004533372.tif 000017
2004533372.tif 000018
2004533372.tif 000019
2004533372.tif 000020
2004533372.tif 000021
2004533372.tif 000022
2004533372.tif 000023
2004533372.tif 000024
2004533372.tif 000025
2004533372.tif 000026
2004533372.tif 000027
2004533372.tif 000028
2004533372.tif 000029
2004533372.tif 000030
2004533372.tif 000031
2004533372.tif 000032
2004533372.tif 000033
2004533372.tif 000034
2004533372.tif 000035
2004533372.tif 000036
2004533372.tif 000037
【国際調査報告】
2004533372.tif 000038
2004533372.tif 000039